(57)【要約】      （修正有）【課題】内部に小径ディスクを挿入できなくしたスロットイン型のディスクローディング機構を備えるディスク駆動装置を提供する。【解決手段】一対のスライダ４Ｌ，４Ｒの各一端部４ａにディスク挿脱口３からディスク３０が挿入されて来たことを検出する検出手段５を設けると共に、一対のスライダ４Ｌ，４Ｒの各他端部４ｂにリンク部材９に設けられた係合部９ｃに係止離脱する係止部４ｃを設け、これらリンク部材９の係合部９ｃと各スライダ４Ｌ，４Ｒの係止部４ｃとで一対のアーム部材７Ｌ，７Ｒが開く方向への揺動をロックするロック機構１０を構成し、一対のスライダ４Ｌ，４Ｒの初期位置における各検出手段５の間隔を小径ディスク３０の直径よりも大きく設定して、ディスク挿脱口３から大径ディスクが挿入された時にのみロック機構１０のロックを解除して一対のアーム部材７Ｌ，７Ｒを開く方向に揺動させるようにした。【選択図】図１
2012133842.tif 000002
【特許請求の範囲】
【請求項１】
第一の所定径のディスクが挿脱されるディスク挿脱口を設けた装置本体と、
前記ディスク挿脱口から挿入された前記ディスクを搬入搬出する搬送ローラと、
前記ディスク挿脱口の両側に互いに離接するように往復動自在に設けられた一対のスライダと、
揺動して先端部で前記ディスクの外周縁部と当接すると共に前記第一の所定径のディスクをターンテーブルに搬送する一対のアーム部材と、
前記一対のアーム部材の各基端部に連結され、前記第一の所定径のディスクの搬入方向と反対の方向に移動することで前記一対のアーム部材の各先端部が開く方向に前記一対のアーム部材を揺動させるリンク部材を有し、
前記一対のスライダの各一端部に前記ディスク挿脱口からディスクが挿入されると前記第一の所定径のディスクの外周縁部が当接する当接部材をそれぞれ設けると共に、前記一対のスライダの各他端部に前記リンク部材に設けられた係合部に係止離脱する係止部をそれぞれ設け、これらリンク部材の係合部と各スライダの係止部とで前記一対のアーム部材が開く方向への揺動をロックするロック機構を構成し、
前記第一の所定径のディスクが前記ディスク挿脱口に挿入されるとき、前記ディスクの外周縁部により両方の前記当接部材が拡がる方向に移動して、前記両方の前記アーム部材に前記第一の所定径のディスクの外周縁部が当接する前に前記ロック機構を解除し、前記第一の所定径のディスクの径よりも小径の第二の所定径のディスクが前記ディスク挿脱口に挿入されるときは、前記両方の前記アーム部材に前記第二の所定径のディスクの外周縁部が当接したときに前記ロック機構のロック状態を維持するように構成したことを特徴とするディスク駆動装置。
【請求項２】
請求項１記載のディスク駆動装置であって、
前記一対のスライダの初期位置における前記各当接部材の間隔を前記第二の所定径のディスクの直径よりも大きく設定したことを特徴とするディスク駆動装置。
【請求項３】
請求項１又は２記載のディスク駆動装置であって、
前記ロック機構がロックされて前記一対のアーム部材の各先端部が閉じられている時に、この閉じられた一対のアーム部材の各先端部が前記第二の所定径のディスクの前記ディスク挿脱口からの誤挿入を防ぐストッパを兼ねたことを特徴とするディスク駆動装置。
【発明の詳細な説明】
【技術分野】
【０００１】
本発明は、例えば直径が１２ｃｍの光ディスク等の大径ディスクを直接搬入するスロットイン型のディスクローディング機構を備えたディスク駆動装置に関する。
【背景技術】
【０００２】
この種のディスク駆動装置におけるディスクの交換方法としては、操作者の操作により排出させたトレイまたはターンテーブル上にディスクを装着し、その後、操作者によりトレイまたはターンテーブルを挿入するローディング方式が主流である。しかし、この方式は、ディスク駆動装置の前側にディスクテーブルを引き出すための空間を必要とし、スペース上の問題、特にディスク駆動装置を自動車等に載置する場合はその狭い車室内での突出物の問題があった。
【０００３】
これに対して、装置本体（筐体）の前面に設けられたディスク挿脱口からディスクを挿入するだけでディスクが自動的にターンテーブルに装着される、いわゆるスロットイン型のディスク駆動装置がある（例えば、特許文献１，２参照。）。このスロットイン型のディスク駆動装置には、ディスク挿脱口から挿入されたディスクを挟み込む相対向する一対のガイドローラを備え、これら一対のガイドローラを互いに逆向きに回転させることによって、ディスク挿脱口から挿入されたディスクを装置本体の内部へと引き込むローディング動作と、このディスク挿脱口からディスクを装置本体の外部へと排出するイジェクト動作とを行う。
【０００４】
自動車用のディスク駆動装置では、このようにスロットイン方式を採用することで、装置自体はディスクの装填時に全く突出せず、自動車内等の狭いスペースでも問題なく設置できる。
【０００５】
また、最近、特に自動車内で使用されるディスク駆動装置においては、直径が８ｃｍの小径ディスクが使用される機会が少なくなり、この小径ディスクを非対応とする動きが出ている。すなわち、汎用性の高い直径が１２ｃｍの大径ディスクだけの対応をすることにより、小径ディスクをセンタリングする機構が不要となり、装置の小型化やコストダウンにつながるためである。
【先行技術文献】
【特許文献】
【０００６】
【特許文献１】特開２００７−１５７１９０号公報
【特許文献２】特開２００６−２２８３５３号公報
【発明の概要】
【発明が解決しようとする課題】
【０００７】
しかしながら、前記従来のスロットイン型のディスク駆動装置では、ユーザーが無理やり小径ディスクを挿入することが可能であり、その際にディスクの脱落や詰まりが発生する可能性があった。そのような事態になれば修理対応となってしまうため問題である。このような理由から現在でも小径ディスクの対応を継続して行っている。
【０００８】
また、前記従来の特許文献１に記載のスロットイン型のディスク駆動装置では、イジェクトレバーの長さと形状を工夫することによって、小径ディスクが挿入された時に、小径ディスクを装置側面に押し付けるような形となって、ストッパの役割を果たすようになっているが、この機構では、最悪の場合、ディスクがほぼ全部入った状態でストッパがかかるため、ディスクの取出しができなくなる可能性があった。
【０００９】
また、前記従来の特許文献２に記載のスロットイン型のディスク駆動装置では、挿入されたディスクの後端部を支持するアームの揺動によって作動するリミットスイッチをさらに備え、その揺動方向に応じて作動するリミットスイッチおよび前記後端側を支持するアームの揺動によって作動するリミットスイッチの作動状態に基づいて、小径ディスクの自動ローディングの可否を判断するようにしているが、この機構では、ディスクが完全にドライブ内に入ってから判定するため、タイミングが遅くなってしまう。また、小径ディスクもローディングできるようにするため、部品点数を削減して装置の小型化やコストダウンを図ることができなかった。
【課題を解決するための手段】
【００１０】
請求項１の発明は、第一の所定径のディスク（20）が挿脱されるディスク挿脱口（３）を設けた装置本体（２）と、前記ディスク挿脱口（３）から挿入された前記ディスク（20）を搬入搬出する搬送ローラ（13L,13R）と、前記ディスク挿脱口（３）の両側に互いに離接するように往復動自在に設けられた一対のスライダ（４L,４R）と、揺動して先端部（７ｂ）で前記ディスク（20）の外周縁部（21）と当接すると共に前記第一の所定径のディスク（20）をターンテーブル（15）に搬送する一対のアーム部材（７L,７R）と、前記一対のアーム部材（７L,７R）の各基端部（７ａ）に連結され、前記第一の所定径のディスク（20）の搬入方向と反対の方向に移動することで前記一対のアーム部材（７L,７R）の各先端部（７ｂ）が開く方向に前記一対のアーム部材（７L,７R）を揺動させるリンク部材（９）を有し、前記一対のスライダ（４L,４R）の各一端部（４ａ）に前記ディスク挿脱口（３）からディスク（20）が挿入されると前記第一の所定径のディスク（20）の外周縁部（21）が当接する当接部材（５）をそれぞれ設けると共に、前記一対のスライダ（４L,４R）の各他端部（４ｂ）に前記リンク部材（９）に設けられた係合部（９ｃ）に係止離脱する係止部（４ｃ）をそれぞれ設け、これらリンク部材（９）の係合部（９ｃ）と各スライダ（４L,４R）の係止部（４ｃ）とで前記一対のアーム部材（７L,７R）が開く方向への揺動をロックするロック機構（10）を構成し、前記第一の所定径のディスク（20）が前記ディスク挿脱口（３）に挿入されるとき、前記ディスク（20）の外周縁部（21）により両方の前記当接部材（５）が拡がる方向に移動して、前記両方の前記アーム部材（７L,７R）に前記第一の所定径のディスク（20）の外周縁部（21）が当接する前に前記ロック機構（10）を解除し、前記第一の所定径のディスク（20）の径よりも小径の第二の所定径のディスク（30）が前記ディスク挿脱口（３）に挿入されるときは、前記両方の前記アーム部材（７L,７R）に前記第二の所定径のディスク（30）の外周縁部（31）が当接したときに前記ロック機構（10）のロック状態を維持するように構成したことを特徴とする。
【００１１】
請求項２の発明は、請求項１記載のディスク駆動装置（１）であって、前記一対のスライダ（４L,４R）の初期位置における前記各当接部材（５）の間隔を前記第二の所定径のディスク（30）の直径よりも大きく設定したことを特徴とする。
【００１２】
請求項３の発明は、請求項１又は２記載のディスク駆動装置（１）であって、前記ロック機構（10）がロックされて前記一対のアーム部材（７L,７R）の各先端部（７ｂ）が閉じられている時に、この閉じられた一対のアーム部材（７L,７R）の各先端部（７ｂ）が前記第二の所定径のディスク（30）の前記ディスク挿脱口（３）からの誤挿入を防ぐストッパを兼ねたことを特徴とする。
【発明の効果】
【００１３】
以上説明したように、本発明は、スロットイン型のディスクローディング機構であっても、大径ディスクは入るが小径ディスクは入らない構造とし、誤って小径ディスクが挿入しようとしても内部に入っていくことを確実に防止することができるディスク駆動装置を提供することができる。
【図面の簡単な説明】
【００１４】
【図１】本発明の一実施形態のディスク駆動装置に小径ディスクが誤挿入された場合を示す概略構成図である。
【図２】上記ディスク駆動装置に大径ディスクが挿入された場合を示す概略構成図である。
【発明を実施するための形態】
【００１５】
以下、本発明の一実施形態を図面に基づいて説明する。
【００１６】
図１及び図２に本発明の実施形態のディスク駆動装置の概略構成図を示し、図１は装置本体内に小径ディスクが誤挿入された場合の状態を示す図であり、図２は装置本体内に大径ディスクが挿入された場合の状態を示す図である。
【００１７】
図１，図２に示すように、ディスク駆動装置１は、後述するスロットイン型のディスクローディング機構を備えていて、例えば、直径が１２ｃｍの光ディスク等の大径ディスク２０を直接搬入し、直径が８ｃｍの光ディスク等の小径ディスク３０は搬入できないようにしたものである。
【００１８】
このディスク駆動装置１は、扁平筐型の装置本体２を有しており、この装置本体２の前面２ａの中央には、大径ディスク２０が挿入されるスリット状のディスク挿脱口３を形成してある。このディスク挿脱口３から大径ディスク２０を挿入、排出するようになっている。また、装置本体２内のディスク挿脱口３の付近の左右両側には、ディスクの搬入搬出方向と直交する方向に往復移動する左右一対のスライダ４Ｌ，４Ｒを配置してある。この各スライダ４Ｌ，４Ｒの各一端部４ａ上にディスク挿脱口３からディスク２０，３０が挿入されて来たことを検出する検出ローラ（検出手段）５をそれぞれ取り付けてある。すなわち、ディスク２０，３０はディスク挿脱口３からの挿入時に一対のスライダ４Ｌ，４Ｒ上に取り付けられた各検出ローラ５，５を押し広げながら入って来る。この一対の検出ローラ５，５の間隔は、図１に示すように、各スライダ５の初期位置において、小径ディスク３０の直径である８ｃｍ以上離れるように設定されている。
【００１９】
さらに、装置本体２の内部には、各枢支ピン６を支点として揺動するローディングアームとしての左右一対のアーム部材７Ｌ，７Ｒと、枢支ピン１１を支点として揺動し、左右一対のアーム部材７Ｌ，７Ｒとは独立して揺動すると共に、図示しない付勢手段により大径ディスク２０の送り込みに抗する付勢力を該大径ディスク２０に与え、かつ大径ディスク２０の外周縁部２１の保持を行うイジェクトアームとしての他のアーム部材１２と、図示しないモータ等の駆動源の駆動及び図示しないローディング制御回路の駆動制御により回転駆動されると共に、大径ディスク２０の搬入の終点位置における該大径ディスク２０の法線方向の投影面に対して差し掛からない部位に上下相対向するように配置される各一対の搬送ローラ１３Ｌ，１３Ｒと、を具備している。
【００２０】
また、一対の搬送ローラ１３Ｌ，１３Ｒではなく、板状のディスクガイドとローラで大径ディスク２０を挟持するようにして搬送してもよい。さらに、搬送ローラは一対のローラ１３Ｌ，１３Ｒに分割せずに一本のローラで構成するようにしてもよい。
【００２１】
左右一対のアーム部材７Ｌ，７Ｒは、その各基端部７ａが各枢支ピン８を介してリンク部材９の両端部９ａ，９ａにより連結されることで、互いに連動するものである。そして、ディスク挿脱口３側にあるディスク挿入方向と直交する方向に移動可能な一対のスライダ４Ｌ，４Ｒが一対のアーム部材７Ｌ，７Ｒの各先端部７ｂを広げる方向に押すことによって、大径ディスク２０が入ってきた時に、一対のアーム部材７Ｌ，７Ｒの各先端部７ｂが開いた状態で大径ディスク２０を受け入れることができるため、ディスク挿入時の引っかかり感をなくしている。
【００２２】
また、一対のアーム部材７Ｌ，７Ｒを連結しているリンク部材９は、大径ディスク２０をローディングする際、ディスク挿入方向と反対側に移動するようになっている。このリンク部材９は、ディスク再生時に回転するスピンドルモータ１４の駆動軸に固定されたターンテーブル１５を避けて、一対のアーム部材７Ｌ，７Ｒを連結する都合上、ディスク挿脱口３の付近に配置されている。すなわち、一対のスライダ４Ｌ，４Ｒと近い位置に配置されている。そして、リンク部材９が移動しなければ、一対のアーム部材７Ｌ，７Ｒも揺動できずローディング動作が開始されないようになっている。
【００２３】
そこで、一対のスライダ４Ｌ，４Ｒの初期位置でリンク部材９に対し、ストッパとなるような突起状の形状の係止凸部（係止部）４ｃを各スライダ４Ｌ，４Ｒの他端部４ｂに設け、各スライダ４Ｌ，４Ｒにストッパ（ロック）の役割を付加するようになっている。このように閉じられた一対のアーム部材７Ｌ，７Ｒの各先端部７ｂが第二の所定径のディスクとしての小径ディスク３０のディスク挿脱口３からの誤挿入を防ぐストッパを兼ねているため、その分、部品点数を削減することができ、装置本体２の小型化及びコストダウンをより一段と図ることができる。また、これに対応するリンク部材９の中央両前側には、各係止凸部４ｃに係止離脱する切り欠き状の係合凹部（係合部）９ｃをそれぞれ設けている。これらリンク部材９の各係合凹部９ｃと各スライダ４Ｌ，４Ｒの係止凸部４ｃとで一対のアーム部材７Ｌ，７Ｒが開く方向への揺動をロックする一対のロック機構１０，１０が構成されている。この各ロック機構１０は、図２に示すように、大径ディスク２０の挿入時に一対のスライダ４Ｌ，４Ｒが押されて移動すると、リンク部材９の各係合凹部９ｃから各スライダ４Ｌ，４Ｒの係止凸部４ｃが退避して外れるような位置関係となっている。
【００２４】
さらに、一対のスライダ４Ｌ，４Ｒの先端の各ディスク２０，３０と接触する一対の検出ローラ５，５の間隔を、小径ディスク３０の直径である８ｃｍよりも大きくすることで、小径ディスク３０を挿入しようとした時、少なくとも片方のロック機構１０のロックが外れて解除されることがないため、リンク部材９がロックされたままとなり、一対のアーム部材７Ｌ，７Ｒが動かず、小径ディスク３０が装置本体２内に入らないようになっている。
【００２５】
また、図２に示すように、直径が１２ｃｍの大径ディスク２０は、一対のスライダ４Ｌ．４Ｒを両方とも押してリンク部材９のロックを外して解除することができるので、大径ディスク２０を装置本体２内に挿入することができるようになっている。このようにして、直径が１２ｃｍの大径ディスク２０はローディングするが、直径が８ｃｍの小径ディスク３０はローディングしないディスク駆動装置１のローディング機構を構成することができるようになっている。
【００２６】
このように、ローラ式でスロットインタイプのローディング機構のディスク挿脱口３に、左右２ヶ所のディスク挿入を検出する一対のスライダ４Ｌ，４Ｒが、ディスク２０，３０を取り込む一対のアーム部材７Ｌ，７Ｒの動きを止めるロック機構１０となっており、この一対のスライダ４Ｌ，４Ｒの各検出ローラ５，５の間隔を小径ディスク３０の直径である８ｃｍよりも大きくすることで、直径が８ｃｍの小径ディスク３０を装置本体２内に入らないようにすることができる。
【００２７】
そして、一対のスライダ４Ｌ，４Ｒの各当接部材としての検出ローラ５の位置のレイアウトを変更するだけで、小径ディスク３０の誤挿入を簡単に防止することができ、小径ディスク３０に対応するための起動動作の追加やセンタリング機構の動作が複雑になることをまぬがれるため、装置本体２の小型化やコストダウンをより一段と図ることができる。
【００２８】
また、ユーザーが小径ディスク３０を手に持っている状況で小径ディスク３０をディスク挿脱口３から挿入しようとしても奥に入らないため、挿入しようとしている直径が８ｃｍの小径ディスク３０が対応していないことを素早く知らせることができる。
【００２９】
さらに、従来の特許文献１に記載のスロットイン型のディスク駆動装置では、ディスクが全て入った状態でストッパがかかるため取出しができなくなる可能性があるが、本発明では、そのようなことはなく、また、ロック機構１０によってディスク２０，３０が横にスライドしてディスクに傷がつくようなこともない。
【００３０】
さらに、従来の特許文献２に記載のスロットイン型のディスク駆動装置とは異なり、小径ディスク３０の全体が完全にドライブ内に入らなくても、挿入しようとしたディスクが小径ディスク３０であることを検出できるので、素早い拒否動作が可能である。また、小径ディスク３０を完全にローディングできるようにする必要もない。
【００３１】
尚、前記実施形態によれば、光ディスクをローディングする場合について説明したが、光磁気ディスク等の他の大径ディスクをローディングしても良い。
【符号の説明】
【００３２】
１  ディスク駆動装置
２  装置本体
３  ディスク挿脱口
４Ｌ，４Ｒ  一対のスライダ
４ａ  一端部
４ｂ  他端部
４ｃ  係止凸部（係止部）
５  検出ローラ（当接部材）
７Ｌ，７Ｒ  一対のアーム部材
７ａ  基端部
７ｂ  先端部（ストッパ）
９  リンク部材
９ｃ  係合凹部（係合部）
１０  ロック機構
１３Ｌ，１３Ｒ  一対の搬送ローラ
１５  ターンテーブル
２０  大径ディスク（第一の所定径のディスク）
２１  外周縁部
３０  小径ディスク（第二の所定径のディスク）
３１  外周縁部
【図１】
2012133842.tif 000003
【図２】
2012133842.tif 000004